(57)【特許請求の範囲】
【請求項１】
上面板と左右の側面板と前面板と後面板で下面を開口した箱状のフード体Ａと、このフード体Ａ内に着脱自在に取付けられるフィルター付送風機ユニットＢとを備え、
前記フィルター付送風機ユニットＢは、上板２０と下板２１と左右の側面板２２と前面板２３と後面板２４とで箱状で、その前面板２３に開口部２３ａを有し、その上板２０がフード本体Ａの上面板に接して着脱自在に連結されるユニット本体２５を備え、
このユニット本体２５の前面板２３の開口部２３ａにフィルター３０を取付けると共に、内部に送風機３２を取付け、
前記下板２１の上面に洗浄液受皿４０を前記フィルター３０の下部に沿って取付け、この下板２１の下面に前記洗浄液受皿４０内の洗浄液が落下する洗浄液槽４１を取付け、前記上板２０に洗浄液樋４３を前記フィルター３０の上部に沿って取付け、前記ユニット本体２５の内部に、前記洗浄液槽４１内の洗浄液を洗浄液樋４３に送る液体ポンプ４５を取付けしたことを特徴とするフィルター清掃装置を備えたレンジフード。
【発明の詳細な説明】
【０００１】
【発明の属する技術分野】
本発明は、調理時に発生する煙り、湯気、臭気、油分等を捕集するフィルターを清掃する装置を備えたレンジフードに関する。
【０００２】
【従来の技術】
従来一般に知られているレンジフードは、フード体の内部にフィルターを取付け、そのフード体内部にフィルターを境として吸込部と排出部を形成し、その排出部に排気用のファンを取付けたものである。
【０００３】
このレンジフードであれば、排気用のファンを駆動することで空気を吸込部より吸込み、その吸込んだ空気をフィルターを通して排出部に吸込み、排気ダクトなどを通して外部に排出することができる。
また、吸込んだ空気中の油分や水蒸気をフィルターで捕集でき、排出ダクトを流れる空気中の油分や水蒸気の量が著しく減少するので、排出ダクト内で油分や水蒸気が結露して排出ダクトより流れ出ることがない。
【０００４】
前述のレンジフードであると、フィルターに油分などが付着し、長期間使用すると付着した油分がフィルターから滴下し、レンジフードの下部、例えばレンジを汚したり、調理中の鍋の中に落下してしまう。このことを防止するにはフィルターを定期的に清掃すれば良い。
【０００５】
しかしフィルターはフード体の内部に取付けてあるし、フード体はレンジの上方位置に取付けてあるので、清掃を忘れがちであり、また気づいた時には長期間を経過している場合がほとんどであり、フィルターに汚れが固着しており、フィルターを清掃することが大変面倒である。
【０００６】
そこで、本出願人は先に、フード体内を、縦向きのフィルターによって吸込部と排出部に区画し、前記フィルターの上部に洗浄液を落下供給する洗浄液樋と、前記フィルターに沿って流れ落ちた洗浄液を受ける洗浄液受皿と、洗浄液槽と、前記洗浄液槽内の洗浄液を前記洗浄液樋に供給する液体ポンプを設け、この液体ポンプを駆動することで、フィルターに沿って洗浄液を流すことによりフィルターに付着した油分等を洗浄するフィルター清掃装置を備えたレンジフードを提案した。
【０００７】
【発明が解決しようとする課題】
前述のフィルター清掃装置を備えたレンジフードは、フード体にフィルター、洗浄液樋、洗浄液受皿、洗浄液槽、液体ポンプを取付けてあるから、このフード体はフィルター清掃装置を備えていない一般のレンジフードのフード体とは異なる形状となる。
【０００８】
このために、フード体の互換性がなく、一般のレンジフードをフィルター清掃装置を備えたレンジフードに変更できないし、一般のレンジフードのフード体を用いてフィルター清掃装置を備えたレンジフードを製作できないから、２種類のフード体を製作しなければならず生産性が悪いものとなる。
【０００９】
また、フード体に各種機器を取付けたのでレンジフードの重量が一般のレンジフードよりも重く、そのレンジフードを据え付ける場合には複数の人が必要である。
【００１０】
そこで、本発明は前述の課題を解決できるようにしたフィルター清掃装置を備えたレンジフードを提供することを目的とする。
【００１１】
【課題を解決するための手段】
本発明は、上面板と左右の側面板と前面板と後面板で下面を開口した箱状のフード体Ａと、このフード体Ａ内に着脱自在に取付けられるフィルター付送風機ユニットＢとを備え、
前記フィルター付送風機ユニットＢは、上板２０と下板２１と左右の側面板２２と前面板２３と後面板２４とで箱状で、その前面板２３に開口部２３ａを有し、その上板２０がフード本体Ａの上面板に接して着脱自在に連結されるユニット本体２５を備え、
このユニット本体２５の前面板２３の開口部２３ａにフィルター３０を取付けると共に、内部に送風機３２を取付け、
前記下板２１の上面に洗浄液受皿４０を前記フィルター３０の下部に沿って取付け、この下板２１の下面に前記洗浄液受皿４０内の洗浄液が落下する洗浄液槽４１を取付け、前記上板２０に洗浄液樋４３を前記フィルター３０の上部に沿って取付け、前記ユニット本体２５の内部に、前記洗浄液槽４１内の洗浄液を洗浄液樋４３に送る液体ポンプ４５を取付けしたことを特徴とするフィルター清掃装置を備えたレンジフードである。
【００１２】
【作用】
本発明によれば、ユニット本体２５の上板２０をフード体Ａの上面板に接して連結してフィルター付送風機ユニットＢをフード体Ａ内に取付けることでフィルター清掃装置を備えたレンジフードとなる。そして、液体ポンプ４５で洗浄液槽４１内の洗浄液を洗浄液樋４３に供給することで洗浄液樋４３内の洗浄液がフィルター３０に沿って流れ、それによってフィルター３０に付着した油分等を洗浄してフィルター３０を清掃できる。
【００１３】
また、ユニット本体２５の上板２０をフード体Ａの上面板から分離することでフィルター付送風機ユニットＢをフード体Ａから取り外し、そのフード体Ａにフィルターと送風機のみを取付けたユニット本体を連結することで一般のレンジフードとなるので、フード体の互換性がある。
【００１４】
このようであるから、一般のレンジフードをフィルター清掃装置を備えたレンジフードに変更できるし、１種類のフード体を製作すれば良いから生産性が向上する。
【００１５】
また、レンジフードを据え付ける場合には、まずフード体Ａを据え付け、その後にフィルター付送風機ユニットＢをフード体Ａに取付けることでフィルター清掃装置を備えたレンジフードを据え付けでき、その据え付け作業を一人で簡単に実施できる。
【００１６】
【発明の実施の形態】
図１に示すように、フード体Ａとフィルター付送風機ユニットＢとでフィルター清掃装置を備えたレンジフード１としてある。
【００１７】
前記フード体Ａは図１と図２に示すように、後側フード体２と、前側フード体３を有する。後側フード体２は後面板４と相対向した一対の側面板５と天板６により下部と前部が開口した箱状となっている。前記前側フード体３は前面板７と、相対向した一対の側面板８と天板９により下部と後部が開口した箱状と成っている。
【００１８】
前記後側フード体２と前側フード体３を連結してフード体Ａとしてある。このフード体Ａは下部が開口した箱状となっている。
【００１９】
前記後側フード体２の天板６には図２に示すように排気口１０とコネクター挿通口１１が形成してある。この天板６の四隅寄りに固定ネジ１２が設けてある。この固定ネジ１２は図１に示すように頭部１３とネジ部１４とナット１５を備え、頭部１３が天板６の穴１６よりフード体Ａ内部に突出している。
【００２０】
前記前側フード体３の前面板７には操作スイッチ１７が取付けてある。この操作スイッチ１７はリード線１８を経てコネクター１９に接続している。前記操作スイッチ１７は強運転スイッチ１７ａ、中運転スイッチ１７ｂ、弱運転スイッチ１７ｃ、停止スイッチ１７ｄ等を備えている。
【００２１】
前記フィルター付送風機ユニットＢは図２と図３、図４、図５に示すように、上板２０と下板２１と左右の側面板２２と前面板２３と後面板２４とで箱状となったユニット本体２５を有する。前記上板２０には排気口２６が形成してあると共に、電源電線２７が接続される電源コネクター２８が取付けてある。前記上板２０の四隅寄りには取付用穴２９が形成してある。この取付用穴２９は小径部２９ａと大径部２９ｂを有し、その大径部２９ｂに前記固定ネジ１２の頭部１３が挿通し、小径部２９ａにネジ部１４が挿通するようにしてある。
【００２２】
前記前面板２３の開口部２３ａにフィルター３０が取付けてあり、この開口部２９よりも上部寄りにコネクター３１が設けてある。このコネクター３１に前記コネクター１９が差し込まれる。
【００２３】
このようであるから、ユニット本体２５をフード体Ａ内に押し込み、固定ネジ１２の頭部１３に取付用穴２９の大径部２９ｂを挿通してユニット本体２５を後面板２４側に若干動かすことで固定ネジ１２のネジ部１４を取付用穴２９の小径部２９ａに挿通することで頭部１３によってユニット本体２５が仮固定される。
【００２４】
この状態でナット１５を締付けることで図１に示すように上板２０が天板６の内面に押しつけられてユニット本体２５がフード体Ａに連結される。
【００２５】
これにより、天板６の排気口１０と上板２０の排気口２６が合致すると共に、電源コネクター２８とコネクター挿通口１１が合致し、電源電線２７をコネクター挿通口１１より電源コネクター２８に差し込みできる。また、コネクター１９をコネクター３１に差し込みする。
【００２６】
以上のようであるから、ユニット本体２５をフード体Ａ内に簡単に取付けできるし、簡単に取り外しできる。なお、操作スイッチ１７の信号を赤外線を利用した無線式によってユニット本体２５の受信部に送信するようにしても良い。例えば特開平６−２６６７９号公報に示すようにしても良い。
【００２７】
前記ユニット本体２５内には送風機３２が取付けてある。この送風機３２はファンケース３３内にファン３４を設け、電動モータ３５でファン３４を回転駆動するようにしてある。ファンケース３３の入口３６がフィルター３０と対向し、出口３７が排気口２６と接続する。
【００２８】
前記下板２１の上面に洗浄液受皿４０が取付けてある。この洗浄液受皿４０にフィルター３０の下部を支持する。前記下板３０の下面に洗浄液槽４１が取付けてある。これによってフィルター３０に沿って流れ落ちた洗浄液は洗浄液受皿４０内に落下し、排出口４２から洗浄液槽４１内に流れ込む。
【００２９】
前記上板２０には洗浄液樋４３が取付けてある。この洗浄液樋４３にフィルター３０の上部が取付けてある。前記洗浄液槽４１内の洗浄液は電動モータ４４で駆動される液体ポンプ４５で洗浄液供給パイプ４６に吐出され、その洗浄液供給パイプ４６によって洗浄液樋４３に供給される。
【００３０】
前記洗浄液樋４３に供給された洗浄液は複数の供給穴４７からフィルター３０の左右方向全長に亘って落下し、フィルター３０に沿って流れ落ちる。これによって、フィルター３０に付着した油分等を洗浄する。
【００３１】
レンジフード１を据え付ける場合には、フード体Ａのみをまず据え付ける。この後にフィルター付送風機ユニットＢのユニット本体２５を前述のようにしてフード体Ａに連結してフィルター付送風機ユニットＢをフード体Ａに取付ける。このように、フード体Ａ、フィルター付送風機ユニットＢを別々に据え付けることができるので、レンジフード１の据え付け作業を一人の作業者で簡単に実施できる。
【００３２】
また、図６に示すようにユニット本体２５にフィルター３０を取付けると共に、送風機を取付けたフィルター付送風機ユニットＣをフード体Ａに取付けることで、一通のレンジフードとすることができる。
【００３３】
次にユニット本体２５をフード体Ａに連結する第２の実施の形態を説明する。
図７に示すように、後側フード体２の天板６における四隅寄りに係止片７０を設ける。具体的には天板６をコ字状に切欠き、その部分をＬ字状に折り曲げて係止片７０としてある。前記天板６の左右中間で前部寄りにボルト挿通穴７１を形成する。
【００３４】
ユニット本体２５の上板２０の四隅寄りに係止穴７２を形成し、その上板２０の左右中間で前部寄りに穴７３を形成し、その穴７３と対向して内面にナット７４を固着する。
【００３５】
前記係止穴７２は図８に示すように係止片７０よりも若干大きい。このようであるからユニット本体２５をフード体Ａ内に押し込んで係止穴７２を係止片７０に挿通して上板２０を天板６の内面に接し、ユニット本体２５を後側に移動することで図９に示すように係止片７０が上板２０に係止して仮固定される。
【００３６】
前述のように仮固定した後にボルト７５を穴７１、穴７３からナット７４に螺合してユニット本体２５をフード体Ａに連結する。
【００３７】
このようであるから、ユニット本体２５をフード体Ａに簡単に取り付け、取り外しできる。
【００３８】
【発明の効果】
本発明によれば、ユニット本体２５の上板２０をフード体Ａの上面板に接して連結してフィルター付送風機ユニットＢをフード体Ａ内に取付けることでフィルター清掃装置を備えたレンジフードとなる。そして、液体ポンプ４５で洗浄液槽４１内の洗浄液を洗浄液樋４３に供給することで洗浄液樋４３内の洗浄液がフィルター３０に沿って流れ、それによってフィルター３０に付着した油分等を洗浄してフィルター３０を清掃できる。
【００３９】
また、ユニット本体２５の上板２０をフード体Ａの上面板から分離することでフィルター付送風機ユニットＢをフード体Ａから取り外し、そのフード体Ａにフィルターと送風機のみを取付けたユニット本体を連結することで一般のレンジフードとなるので、フード体の互換性がある。
【００４０】
このようであるから、一般のレンジフードをフィルター清掃装置を備えたレンジフードに変更できるし、１種類のフード体を製作すれば良いから生産性が向上する。
【００４１】
また、レンジフードを据え付ける場合には、まずフード体Ａを据え付け、その後にフィルター付送風機ユニットＢをフード体Ａに取付けることでフィルター清掃装置を備えたレンジフードを据え付けでき、その据え付け作業を一人で簡単に実施できる。
【図面の簡単な説明】
【図１】本発明の実施の形態を示す全体側面図である。
【図２】フード体とフィルター付送風機ユニットの分解斜視図である。
【図３】フィルター付送風機ユニットの正面図である。
【図４】フィルター付送風機ユニットの平面図である。
【図５】フィルター付送風機ユニットの縦断面図である。
【図６】一般のレンジフードの分解斜視図である。
【図７】本発明の第２の実施の形態を示すフード体とフィルター付送風機ユニットの分解斜視図である。
【図８】係止片と係止穴の説明図である。
【図９】係止片と係止穴の係止状態の説明図である。
【符号の説明】
Ａ…フード体、Ｂ…フィルター付送風機ユニット、６…天板、１０…排気口、１２…固定ネジ、２０…上板、２５…ユニット本体、２６…排気口、３０…フィルター、３２…送風機、４０…洗浄液受皿、４１…洗浄液槽、４３…洗浄液樋、４５…液体ポンプ、７０…係止片、７２…係止穴。
【図１】
0003743084.tif 000002
【図２】
0003743084.tif 000003
【図３】
0003743084.tif 000004
【図４】
0003743084.tif 000005
【図５】
0003743084.tif 000006
【図６】
0003743084.tif 000007
【図７】
0003743084.tif 000008
【図８】
0003743084.tif 000009
【図９】
0003743084.tif 000010